(57)【特許請求の範囲】
【請求項１】
入力される交流電圧を整流回路と平滑用コンデンサとにより変換した直流電圧を逆変換回路により所望の電圧・周波数の交流に変換して負荷に給電するインバータ本体部と、該インバータ本体部の動作状態を操作・表示する操作パネル部とを備え、この操作パネル部は前記インバータ本体部の一面に装着可能で、且つ前記インバータ本体部から分離可能なインバータ装置において、
前記操作パネル部は、開口部を有する箱状のパネルケースと開口部内側にはめ込まれるパネル底板とから形成され、該操作パネル部を前記インバータ本体部の一面に装着するときには、前記パネルケースの開口部を前記インバータ本体部側に対向させ、前記パネルケースの開口部端面と前記インバータ本体部の一面との間をパッキン材により封止することを特徴とするインバータ装置。
【発明の詳細な説明】
【０００１】
【発明の属する技術分野】
この発明は、防塵，防水構造のインバータ装置に関する。
【０００２】
【従来の技術】
図３は、この種のインバータ装置の代表的な回路構成図であり、１は商用電源などの交流電源、２はインバータ装置、３はインバータ装置２から給電される負荷としての電動機を示す。
【０００３】
このインバータ装置２は周知の技術により形成され、交流電源１の電圧を整流するダイオード整流回路１１と、ダイオード整流回路１１の出力電圧を平滑する平滑用コンデンサ１２と、平滑用コンデンサ１２の両端電圧を交流に変換するインバータ１３と、電動機３を可変速制御するためにインバータ１３の出力を所望の電圧・周波数の交流に制御する制御回路１４と、制御回路１４を介してインバータ装置２の動作状態を操作・表示する操作パネル１５とを備えている。
【０００４】
このインバータ装置２と電動機３とが据え付けられる機械設備によっては、図３に示した操作パネル１５はダイオード整流回路１１，平滑用コンデンサ１２，インバータ１３，制御回路１４からなるインバータ本体と一体化して配置されることもあり、また、制御回路１４と操作パネル１５との間の接続を延長ケーブルで行うことにより、前記インバータ本体から操作パネル１５を分離して配置されることもある。
【０００５】
さらに前記機械設備からの要求仕様として、インバータ装置２に防塵，防水構造を求められることがある。
図４は、図３に示したインバータ装置２の防塵，防水構造の従来例を示す模式的概念断面図である。
【０００６】
図４において、２１はインバータ本体部を覆う本体ケース、２２は操作パネル部の上ケース、２３は操作パネル部の下ケースであり、操作パネル１５は上ケース２２と下ケース２３とに分割できる構造になっている。また、２４は上述のインバータ本体の１つである制御回路１４を実装した制御回路基板、２４ａは図示の如く本体ケース２１に設けた角穴を貫通させて制御回路１４に設けられる本体側コネクタ、２５は操作パネル１５の電子部品，押しボタン等を実装した操作パネル基板、２５ａは図示の如く下ケース２３に設けた角穴を貫通させて操作パネル１５と本体側コネクタ２４ａとを接続するために操作パネル基板２５に設けられる操作パネル側コネクタ、２６は本体ケース２１の一面と下ケース２３との間を封止するパッキン材、２７は上ケース２２と下ケース２３との結合部を封止するパッキン材である。また、図４に示す如く操作パネル基板２５は下ケース２３に支持されている。
なお、インバータ本体部の下ケース２３と接する所以外のインバータ本体部は、周知の技術により、本体ケース２１などにより防塵，防水構造になっている。
【０００７】
【発明が解決しようとする課題】
図４に示した従来の操作パネル部の防塵，防水構造によると、互いに形状の異なったパッキン材２６とパッキン材２７とを必要とし、特に、図４に示す如く上ケース２２と下ケース２３とを結合する対向面それぞれに段差を設け、この段差の一部をパッキン材２７により封止する構造であり、上ケース２２と下ケース２３との対向面の構造が複雑になるという問題もあった。
この発明の目的は、上記問題点を解決する防塵，防水構造のインバータ装置を提供することにある。
【０００８】
【課題を解決するための手段】
この発明は、入力される交流電圧を整流回路と平滑用コンデンサとにより変換した直流電圧を逆変換回路により所望の電圧・周波数の交流に変換して負荷に給電するインバータ本体部と、該インバータ本体部の動作状態を操作・表示する操作パネル部とを備え、この操作パネル部は前記インバータ本体部の一面に装着可能で、且つ前記インバータ本体部から分離可能なインバータ装置において、
前記操作パネル部は、開口部を有する箱状のパネルケースと開口部内側にはめ込まれるパネル底板とから形成され、該操作パネル部を前記インバータ本体部の一面に装着するときには、前記パネルケースの開口部を前記インバータ本体部側に対向させ、前記パネルケースの開口部端面と前記インバータ本体部の一面との間をパッキン材により封止することを特徴とする。
【０００９】
この発明によれば、前記操作パネル部は１組のパッキン材で防塵，防水構造にすることができ、さらに、後述の如く前記箱状のケースの開口部端面および前記インバータ本体部の一面は互いに平らでよい。
【００１０】
【発明の実施の形態】
図１は、この発明の実施例を示す図３に示したインバータ装置２の防塵，防水構造の模式的概念断面図であり、図４に示した従来例図と同一機能を有するものには同一符号を付している。
【００１１】
すなわち図１においては、本体ケース２１，制御回路基板２４，本体側コネクタ２４ａ，操作パネル基板２５，操作パネル側コネクタ２５ａの他に、長方体の一面が開口する操作パネルケース３１と、操作パネル基板２５を支持し、操作パネル側コネクタ２５ａ用の角穴を有する操作パネル底板３２と、パッキン材３３とを備え、操作パネルケース３１の開口部端面と、本体ケース２１との間はパッキン材３３により封止されている。操作パネル部の箱状のケースは、操作パネルケース３１と操作パネル底板３２とに分割できるようになっており、操作パネル部を本体ケース２１に装着する際は、操作パネルケース３１と操作パネル底板３２との分割面、すなわち、操作パネルケース３１の開口部側を本体ケース２１側に対向させて装着される。
【００１２】
これにより操作パネルケース３１と操作パネル底板３２との分割面の隙間および操作パネル部と本体ケースとの間の防塵，防水は１つのパッキン材３３により同時に行うことができる。
【００１３】
図２は、この発明の操作パネル部の詳細斜視図を示し、図２（イ）は操作パネル部の底側から見た外観図であり、この操作パネル部は、図２（ロ）に示す分解図の如く、操作パネル基板２５の裏側に設置された操作パネル側コネクタ２５ａを操作パネル底板３２の角穴から貫通させ、さらに、操作パネル基板２５をネジ３４で操作パネル底板３２に固定し、操作パネルケース３１の開口部内側（操作パネルケース３１の側壁の内側）に操作パネル底板３２をはめ込むようにして、箱状のケースを形成している。
【００１４】
なお、図１では、操作パネルケース３１の底側の開口部端面および操作パネル底板３２の外周部に段差を設けて、操作パネルケース３１と操作パネル底板３２との位置決めを行っているが、操作パネルケース３２の開口部端面のみに段差を設けて、ここに板状の操作パネル底板３２をはめ込むようにしてもよいし、操作パネルケース３１の側壁の内側に突起を設けて、ここに板状の操作パネル底板３２をはめ込むようにしてもよい。
【００１５】
この操作パネル部を前記インバータ本体部と一体化するときには、操作パネルケース３１の開口部端面と本体ケース２１の一面との間に、図２（ロ）に示す如き中空形状のパッキン材３３を挿設し、図２（イ，ロ）に示すように操作パネルケース３１の２角に施された貫通穴を利用して、図２（イ）に示した操作パネル部を本体ケース２１に固定すればよい。
【００１６】
なお、パッキン材３３の材質はスポンジ材，ゴム材などが一般的である。
また、操作パネルケース３１の開口部端面にパッキン材３３としてシリコン材などを塗布することでもよい。
【００１７】
【発明の効果】
この発明によれば、インバータ本体部と操作パネル部とからなるインバータ装置を防塵，防水構造にする際に、該操作パネル部は１組のパッキン材で防塵，防水構造にすることができる。
【図面の簡単な説明】
【図１】この発明の実施例を示すインバータ装置の防塵，防水構造の模式的概念断面図
【図２】図１の部分詳細斜視図であり、図２（イ）は外観図、図２（ロ）は分解図
【図３】インバータ装置の代表的な回路構成図
【図４】従来例を示すインバータ装置の防塵，防水構造の模式的概念断面図
【符号の説明】
１…交流電源、２…インバータ装置、３…電動機、１１…ダイオード整流回路、１２…平滑用コンデンサ、１３…インバータ、１４…制御回路、１５…操作パネル、２１…本体ケース、２２…ケース、２３…下ケース、２４…制御回路基板、２５…操作パネル基板、２６，２７…パッキン材、３１…操作パネルケース、３２…操作パネル底板、３３…パッキン材、３４…ネジ。
【図１】
0003637795.tif 000002
【図２】
0003637795.tif 000003
【図３】
0003637795.tif 000004
【図４】
0003637795.tif 000005